(57)【特許請求の範囲】
【請求項１】
複数のパネルが連結されたサークル本体の内部で、収容したペットのトイレの仕付けを行うペット用サークルにおいて、
前記サークル本体の内部空間が中仕切体によって仕切られることにより住居スペースとトイレスペースに区画されており、
前記中仕切体には、ペットが出入り可能な仕切出入口が開口されるとともに、この仕切出入口を開閉する仕切扉が設けられ、この仕切扉を介して住居スペースとトイレスペースとの間をペットが行き来できるように或いは行き来が規制されるように構成され、
このサークル本体の下部にトレーが着脱自在に取り付けられ、このトレーは、住居スペースに対応する住居側トレー部とトイレスペースに対応するトイレ側トレー部に区画され、
前記トイレ側トレー部にペット用トイレを置くようになされ、前記サークル本体のトイレスペース側のパネルにはこのペット用トイレを出し入れ可能なトイレ出し入れ口が開口されているとともに、このトイレ出し入れ口を開閉するトイレ用扉が回動軸を下部に設けて開閉自在に取り付けられたことを特徴とするペットのトイレ仕付け用サークル。
【請求項２】
請求項１に記載のペットのトイレ仕付け用サークルにおいて、
前記トイレ出し入れ口の閉鎖時にトイレ用扉を係止するトイレ出し入れ口ロック手段が設けられたことを特徴とするペットのトイレ仕付け用サークル。
【発明の詳細な説明】
【技術分野】
【０００１】
本発明は、内部に犬や猫などのペットを入れてトイレの仕付けを行うペットのトイレ仕付け用サークルに関する。
【背景技術】
【０００２】
ペット用サークルは、複数のパネルを連結し、これらのパネルで囲まれた内部にペットを収容するものであって、サークルの内部空間は、仕切られることなく１つ空間として構成されているものが一般的である（例えば、特許文献１参照。）。
【０００３】
ところで、ペット、特に犬の飼い主は、サークルの中にペット用トイレを置いて使用していることが多い。そして、ペットにトイレの仕付けを行う際、飼い主がペットの排泄時が近づいたと察知すれば、まずペットをトイレに誘導し、ペットがトイレで排泄を終えると、トイレで排泄ができたことを誉めて学習させるという手順を踏むのが通常である。
【特許文献１】特開２００１−２４５５４５号公報
【発明の開示】
【発明が解決しようとする課題】
【０００４】
しかしながら、上記した一般的なペット用サークルにおいてその内部にペット用トイレを置くと、ペットの住居空間が狭くなって使い勝手が悪い。その上、ペット用トイレの他に食器やベッドを置くと、衛生上好ましくない。このように、ペットがサークル内で快適に過ごすことができないという問題があった。
【０００５】
また、ペット用トイレと住居空間との境界がないので、飼い主がペットをトイレに誘導し難く、たとえトイレへの誘導に成功した場合であっても、ペットがトイレの上で静止し難い。このため、ペットに対するトイレの仕付けが困難であった。
【０００６】
本発明は、このような事情に鑑み創案されたもので、サークル内部が住居スペースとトイレスペースとに区画され、トイレの仕付けが容易で、トイレスペース側に置いたペット用トイレを出し入れ可能とでき、使い勝手がよく、ペットが快適に過ごすことができるペットのトイレ仕付け用サークルを提供するものである。
【課題を解決するための手段】
【０００７】
上記の目的を達成するため、本発明に係るペットのトイレ仕付け用サークルは、複数のパネルが連結されたサークル本体の内部で、収容したペットのトイレの仕付けを行うペット用サークルにおいて、前記サークル本体の内部空間が中仕切体によって仕切られることにより住居スペースとトイレスペースに区画されており、前記中仕切体には、ペットが出入り可能な仕切出入口が開口されるとともに、この仕切出入口を開閉する仕切扉が設けられ、この仕切扉を介して住居スペースとトイレスペースとの間をペットが行き来できるように或いは行き来が規制されるように構成され、このサークル本体の下部にトレーが着脱自在に取り付けられ、このトレーは、住居スペースに対応する住居側トレー部とトイレスペースに対応するトイレ側トレー部に区画され、前記トイレ側トレー部にペット用トイレを置くようになされ、前記サークル本体のトイレスペース側のパネルにはこのペット用トイレを出し入れ可能なトイレ出し入れ口が開口されているとともに、このトイレ出し入れ口を開閉するトイレ用扉が回動軸を下部に設けて開閉自在に取り付けられたことを特徴とする。
【０００８】
この発明によれば、サークル本体の内部空間が住居スペースとトイレスペースに区画されているので、トイレスペースをペット用トイレを置くためだけの空間として使用することができる。したがって、サークル本体内にペット用トイレを置いた場合であっても、ペットは、住居スペースでゆとりを持って快適に過ごすことができる。また、住居スペースには、食器やベッドを置くことができるので、使い勝手がよい。
【０００９】
また、住居スペースとトイレスペースとの間が中仕切体によって仕切られているとともに、中仕切体に仕切出入口が開口されているので、この仕切出入口を介してペットが住居スペースとトイレスペースとの間を行き来できる。また、飼い主がペットをトイレに誘導するのが容易で、仕切出入口には仕切扉が設けられており、トイレに誘導されたペットは、トイレから離れることがない。したがって、ペットに対してトイレの仕付けを好適に行うことが可能になる。
【００１０】
さらに、トイレ側トレー部にペット用トイレを置いており、サークル本体の下部にトレーが設けられているので、ペットが飲食物をこぼしたり、糞尿をトイレ外にしてしまった場合であっても、サークルを載置している床面を汚すことが防止できる。
【００１１】
また、トレーが住居側トレー部とトイレ側トレー部とに区画され、この境界にわたって漏れ止め用突部が設けられているので、例えば、トイレスペースでペットが糞尿等を漏らしてしまった場合であっても、汚物が住居スペースに流れ出すことが防止できる。したがって、清潔で快適な環境で使用することができる。
【００１２】
さらに、トレーの中仕切体に対応する位置には、中仕切体の下端部を嵌め込む嵌入部が形成されているので、中仕切体のガタツキを防止することができる。
【００１３】
本発明は、上記構成のペット用サークルにおいて、前記トイレ出し入れ口の閉鎖時にトイレ用扉を係止するトイレ出し入れ口ロック手段が設けられたことを特徴とする。
【００１４】
この発明によれば、トイレ出し入れ口を閉鎖状態で保持することができる。したがって、閉鎖したトイレ出し入れ口のトイレ用扉をペットが開けたり、トイレ用扉が不測に開いてしまうのを防止できる。
【発明の効果】
【００１５】
本発明によれば、サークル本体のトイレスペース側のパネルには、トイレ側トレー部に置いたペット用トイレを出し入れ可能なトイレ出し入れ口が開口されるとともに、このトイレ出し入れ口を開閉するトイレ用扉が回動軸を下部に設けて開閉自在に取り付けられたものであるから、トイレの仕付けが容易で、トイレのシーツの交換も容易な使い勝手がよく、ペットが快適に過ごすことができるペット用サークルを提供することが可能になる。
【発明を実施するための最良の形態】
【００１６】
以下、本発明の実施の形態について、図を参照して説明する。
【００１７】
図１には、本実施形態のペットのトイレ仕付け用サークル１（以下、「ペット用サークル１」ともいう。）の全体が示されている。
【００１８】
このペット用サークル１は、複数のパネル２ａ，２ｂ，２ｃ，２ｄが連結されたサークル本体２と、サークル本体２の下部に取り付けられたトレー６とを備え、サークル本体２の内部空間は、中仕切体４によって仕切られ、住居スペース１ａとトイレスペース１ｂに区画されている。
【００１９】
サークル本体２は、正面・背面・左右の側面の４枚のパネル２ａ，２ｂ，２ｃ，２ｄが周囲壁を形成するように連結されており、各パネル２ａ，２ｂ，２ｃ，２ｄの隣り合うパネル同士は、固定棒２０により固定されている。
【００２０】
各パネル２ａ，２ｂ，２ｃ，２ｄは、木製の上フレーム２１と下フレーム２２と、これら上フレーム２１と下フレーム２２との間に取り付けられる金属製の網状体とから構成されている。
【００２１】
なお、各パネル２ａ，２ｂ，２ｃ，２ｄは、上フレーム２１と下フレーム２２との間をすべて網状体で構成するものに限定されるものではなく、例えば、上フレーム２１と下フレーム２２との間の一部に板状体を挿入することにより、サークル本体２の内部空間への外部からの刺激を軽減して、ペットが落ち着くことのできる空間となるようにしてもよい。また、下フレーム２２の床面と接地する面に、床の傷付きを防止する滑り止め部材を設けてもよい。
【００２２】
正面パネル２ａの上フレーム２１と背面パネル２ｂの上フレーム２１において、住居スペース１ａとトイレスペース１ｂの境界に対応する位置には、中仕切体４を嵌め込む仕切体嵌め込み部２１ａが切り欠かれている。
【００２３】
正面パネル２ａの住居スペース１ａに対応する側には、ペットが出入り可能なペット出入口２ｅが開口されており、このペット出入口２ｅを開閉するペット用扉３が開閉自在に取付けられている。
【００２４】
ペット出入口２ｅは、正面パネル２ａの下端部から上端部にわたって広く開口されており、ペットが出入りし易いように図られている。
【００２５】
中仕切体４は、仕切フレーム４１と網状体とが組み合わされたパネルで構成されており、仕切出入口４ａが開口されている。
【００２６】
仕切フレーム４１は、両端に嵌入部４２が形成された断面矩形状の角材であって、嵌入部４２をサークル本体２の仕切体嵌め込み部２１ａに嵌め込むことにより、中仕切体４をサークル本体２に取り付けるようになされている。
【００２７】
仕切出入口４ａは、中仕切体４の下端部から上端部にわたって広く開口されて、ペットが出入りし易いように図られており、この仕切出入口４ａを開閉する仕切扉４３が開閉自在に取り付けられている。
【００２８】
仕切扉４３は、仕切フレーム４１の下部に吊下げて摺動自在に取り付けられている。
【００２９】
なお、中仕切体４は、嵌入部４２をサークル本体２の仕切体嵌め込み部２１ａから外すことにより、容易に取り外すことができる。このように、中仕切体４を取り外すことで、例えばトイレの仕付けが完了したペットに対しては、住居スペース１ａとトイレスペース１ｂとの間を常に自由に行き来できるようにすることが可能になる。
【００３０】
正面パネル２ａのトイレスペース１ｂに対応する側の下部には、ペット用トイレを出し入れ可能なトイレ出し入れ口５ａが開口されており、このトイレ出し入れ口５ａを開閉するトイレ用扉５が開閉自在に取付けられている。
【００３１】
トイレ出し入れ口５ａは、ペット用トイレの幅よりも若干広幅の横長形状に形成されており、ペット用トイレＡを出し入れし易いように図られている。
【００３２】
トイレ用扉５は、トイレ出し入れ口５ａに対応する形状に形成された網状のパネル体であって、下端部の縦線材が屈曲されてヒンジ部５１が形成されている。このヒンジ部５１は、トイレ出し入れ口５ａの下端側の正面パネル２ａの端部の横線材２５に嵌め込まれて、この横線材２５回りにトイレ用扉５が回動するようになされている。つまり、回動軸がトイレ出し入れ口５ａの下部に設けられているので、トイレ用扉５を開けると、この扉は下方に水平状態で静止する。
【００３３】
また、トイレ出し入れ口５ａの上端側の正面パネル２ａには、トイレ用扉５の上端部を係止するストッパ５２が取り付けられている。
【００３４】
このストッパ５２は、合成樹脂素材で形成されており、トイレ出し入れ口５ａの上端側の正面パネル２ａの２本の縦線材２６に沿って上下方向に摺動自在に取り付けられている。ストッパ５２の表面には摘み部５３が形成され、使用者がこの摘み部５３に手を掛けてストッパ５２を動かすことができるように図られている。一方ストッパ５２の裏面には、爪部５４が形成されており、トイレ出し入れ口５ａを閉鎖した状態において、ストッパ５２を下方向に摺動させ、トイレ出し入れ口５ａ上端縁の横線材５５を爪部５４で係止することにより、閉鎖状態を保持することができるように図られている。
【００３５】
また、ストッパ５２を上方向に摺動させたときに、正面パネル２ａの所定位置に横線材２７が設けられており、摺動範囲が規制されている。
【００３６】
なお、本実施形態においては、トイレ用扉５は、ヒンジ部５１を介して回動するように構成されているが、トイレ用扉５を開閉する手段は、ヒンジを用いて回動させることに限定されるものではなく、例えば、スライドさせることによってもよい。
【００３７】
トレー６は、外周にわたって周壁部６１が立ち上げられており、排泄物や飲食物がサークル本体２内にこぼれた場合であっても、これらの汚物などがサークル本体２の木製の下フレームに直接かかって木材が腐敗することがないように図られている。また、トレー６は、住居スペース１ａに対応する住居側トレー部６ａとトイレスペース１ｂに対応するトイレ側トレー部６ｂに区画されており、住居側トレー部６ａとトイレ側トレー部６ｂの境界にわたって漏れ止め用突部６２が形成されている。
【００３８】
また、中仕切体４に対応する位置には、突起６３が３個所形成されており、中仕切体４の下端部を突起６３と漏れ止め用突部６２との間（嵌入部）に嵌め込んで、中仕切体４のガタツキを防止できるようになされている。
【００３９】
さらに、トイレ側トレー部６ｂには、ペット用トイレAを所定位置で静止させるトイレ静止用突部６４が形成されている。このトイレ静止用突部６４は、ペット用トイレＡの外枠が嵌め込まれるように形成されており、ペットの動きに伴ってペット用トイレＡが動くことがなくなり、好適に排便等をさせることを可能にしている。
【００４０】
次に、上記構成のペット用サークル１を組み立てる手順について説明する。
【００４１】
まず、正面、背面、左右の側面の４枚のパネル２ａ，２ｂ，２ｃ，２ｄを固定棒２０を介して連結し、サークル本体２を組み立てる。
【００４２】
次いで、トレー６をサークル本体２内に設置する。
【００４３】
続いて、サークル本体２の上方から中仕切体４を挿入していき、中仕切体４の下端部をトレー６の嵌入部に嵌め込むとともに、正面パネル２ａの上フレーム２１と背面パネル２ｂの上フレーム２１の仕切体嵌め込み部２１ａに中仕切体４を嵌め入れる。
【００４４】
次に、上記構成のペット用サークル１の使用方法の一例について説明する。
【００４５】
まず、ペット用トイレAをサークル本体２のトイレスペース１ｂに設置する、この際、ペット用トイレAの外枠をトレー６のトイレ静止用突起６４に嵌め込んで、ペット用トイレＡが不測に動かないようにする。
【００４６】
次いで、ペット出入口２ｅを開けて、ペットをサークル本体２内に入れる。
【００４７】
使用者がペットの排泄が近づいてきたと察知した場合、仕切扉４３を開けて、ペットをトイレスペース１ｂのペット用トイレＡに誘導する。その後、仕切扉４３を閉鎖し、ロックする。
【００４８】
ペットがペット用トイレＡで排泄し終えると、トイレで排泄したことを誉め、仕切扉４３を開けて、住居スペース１ａにペットを入れる。
【００４９】
ペット用トイレＡのシーツを交換する際には、トイレ出し入れ口５ａを開けて、ペット用トイレAを取り出し、トイレ用扉５を閉めてストッパで係止する。使用者は取り出したペット用トイレAのシーツを楽な姿勢で交換することができる。シーツ交換中はトイレ出し入れ口５ａを閉鎖しておくことができるので、安全である。
【産業上の利用可能性】
【００５０】
本発明は、サークル内部が住居スペースとトイレスペースとに区画されたペット用サークルのサークル本体に適用できる。
【図面の簡単な説明】
【００５１】
【図１】ペット用サークルを分解して示す斜視図である。
【図２】ペット用サークルの各扉を開けた状態を示す斜視図である。
【図３】ペット用サークルの正面パネルを示す斜視図である。
【図４】正面パネルの各扉を開けた状態を示す斜視図である。
【図５】ペット用サークルのトレーを示す斜視図である。
【符号の説明】
【００５２】
１  ペットのトイレ仕付け用サークル
１ａ  住居スペース
１ｂ  トイレスペース
２  サークル本体
２５  横線材
２６  縦線材
２７  横線材
３  ペット用扉
４  中仕切体
５  トイレ用扉
５ａ  トイレ出し入れ口
５１  ヒンジ部
５２  ストッパ
５３  摘み部
５４  爪部
６  トレー
６ａ  住居側トレー部
６ｂ  トイレ側トレー部
６１  周壁部
６２  漏れ止め用突起
６３  突起
６４  トイレ静止用突起
【図１】
0004837006.tif 000002
【図２】
0004837006.tif 000003
【図３】
0004837006.tif 000004
【図４】
0004837006.tif 000005
【図５】
0004837006.tif 000006